(57)【要約】【課題】受網受部材付近の構成を簡略化し、受網の漏下面積を拡大して脱穀能率を向上させることができる脱穀機の受網着脱装置を提供する。【解決手段】奥側網１５ｂの扱ぎ口側とは反対側に突出するように固定された鉤状部材１６と、下部ケース２に配置された揺動支点２８を中心に揺動可能に支持され、前記鉤状部材１６に接離可能なロック部材３０と、を備えている。上部カバー３の下降閉鎖時に、ロック部材３０を鉤状部材１６に係合させ、該鉤状部材１６を介して奥側網１５ｂを下方向及び反扱ぎ口方向に付勢して下部ケース２に固定すると共に、奥側網１５ｂに当接する扱ぎ口側網１５ａを下部ケース２に固定し、上昇開動時には、上部カバー３の回動に遅れてロック部材３０を揺動させ、該ロック部材３０を鉤状部材１６から離間させて、奥側網１５ｂ及び扱ぎ口側網１５ａの固定を解除する。【選択図】　　　図１
2004141107.tif 000002
【特許請求の範囲】
【請求項１】
受網を着脱可能に取り付ける下部ケースに対し、扱ぎ室の上部カバーを、扱ぎ口側とは反対側の奥側に設けた回動支点を中心に上下動可能に構成した脱穀機の受網着脱装置において、
前記受網の奥側に前記扱ぎ口側とは反対側に突出するように固定された鉤状部材と、
前記下部ケースに配置された揺動支点を中心に揺動可能に支持され、前記鉤状部材に接離可能なロック部材と、
前記上部カバーの回動支点の近傍において、該上部カバー側に一端部を連結されると共に、他端部を前記ロック部材と連結される操作部材と、を備え、
前記上部カバーの下降閉鎖時に、前記操作部材を介して前記ロック部材を前記鉤状部材に係合させ、該鉤状部材を介して前記受網を下方向及び反扱ぎ口方向に付勢して前記下部ケースに固定し、上昇開動時には、前記ロック部材を前記鉤状部材から離間させ、前記受網の固定を解除するようにした、ことを特徴とする脱穀機の受網着脱装置。
【請求項２】
前記操作部材の何れか一方の連結部に遅延機構を構成し、
前記上部カバーの上昇開動時に、該上部カバーが所定の位置を超えて開動した後、受網の固定を解除するようにした、ことを特徴とする請求項１記載の脱穀機の受網着脱装置。
【発明の詳細な説明】
【０００１】
【発明の属する技術分野】
本発明は、脱穀機の扱ぎ室内に設置される受網の着脱装置に関する。
【０００２】
【従来の技術】
例えば、受網を受部材に着脱可能に支持する下部ケースに対し、扱ぎ室の上部カバーを反扱ぎ口側に設けた回動支点を中心に上下回動可能に設け、該回動支点の近傍に前記受部材に支持される受網の受止片に当接する固定部材を上下動可能に設けた脱穀機の受網着脱装置がある。該受網着脱装置は、前記固定部材を前記上部カバーの上下動に伴って作動される作動部材で押圧することにより、該上部カバーの下降閉鎖時に受網を押圧固定すると共に、上昇開動時には受網の固定を解除させるように構成している（例えば、特許文献１参照）。
【０００３】
【特許文献１】
特開平０９−２８５２２０号公報　（第２−３頁　図１）
【０００４】
【発明が解決しようとする課題】
しかし、前記脱穀機の受網着脱装置においては、扱ぎ口側網と奥側網とからなる受網の突合せ部（分割部）を支持する受網受部材に、扱ぎ口側網の受止片をねじ止めしたり、奥側網の受止片に固定されたピンを装着するなど、受網のロック装置を受網の下方に設ける構成となっているため、受網受部材付近の漏下面積が少なくなる。また、稈詰まり等の場合、該稈詰まりを除去するため、上部カバーを上昇開動させると、詰まった稈の影響で受網の固定が解除されることがあり、奥側網が浮き上がり、上部カバーを下降閉鎖させたとき、受網の固定が不安定になるなど、脱穀能率を低下させている。
【０００５】
前記の事情に鑑み、本発明は、受網受部材付近の構成を簡略化し、受網の漏下面積を拡大して脱穀能率を向上させることができる脱穀機の受網着脱装置を提供することを目的とする。
【０００６】
【課題を解決するための手段】
請求項１に係る発明は、受網（１５）を着脱可能に取り付ける下部ケース（２）に対し、扱ぎ室（５）の上部カバー（３）を、扱ぎ口側とは反対側の奥側に設けた回動支点（２２）を中心に上下動可能に構成した脱穀機の受網着脱装置において、
前記受網（１５）の奥側に前記扱ぎ口側とは反対側に突出するように固定された鉤状部材（１６）と、
前記下部ケース（２）に配置された揺動支点（２８）を中心に揺動可能に支持され、前記鉤状部材（１６）に接離可能なロック部材（３０）と、
前記上部カバー（３）の回動支点（２２）の近傍において、該上部カバー（３）側に一端部を連結されると共に、他端部を前記ロック部材（３０）と連結される操作部材（３５）と、を備え、
前記上部カバー（３）の下降閉鎖時に、前記操作部材（３５）を介して前記ロック部材（３０）を前記鉤状部材（１６）に係合させ、該鉤状部材（１６）を介して前記受網（１５）を下方向及び反扱ぎ口方向に付勢して前記下部ケース（２）に固定し、上昇開動時には、前記ロック部材（３０）を前記鉤状部材（１６）から離間させ、前記受網（１５）の固定を解除するようにした、ことを特徴とする脱穀機の受網着脱装置にある。
【０００７】
請求項２に係る発明は、前記操作部材（３５）の何れか一方の連結部に遅延機構（３２ａ）を構成し、
前記上部カバー（３）の上昇開動時に、該上部カバー（３）が所定の位置を超えて開動した後、受網（１５）の固定を解除するようにした、ことを特徴とする請求項１記載の脱穀機の受網着脱装置にある。
【０００８】
なお、括弧内の符号等は、図面と対照するためのものであり、これは、発明の理解を容易にするための便宜的なものであって、特許請求の範囲に何等影響を及ぼすものではない。
【０００９】
【発明の実施の形態】
以下、本発明の一実施の形態を図面に基づいて説明する。図１及び図２は、本発明の一実施の形態を示すもので、図１は、本発明に係わる脱穀機の受網着達装置の一例の要部を示す正面断面図、図２は、図１のＩＩ矢視図である。
【００１０】
図１において、コンバイン等の走行機体（図示せず）に搭載可能な脱穀機１は、下部ケース２と上部カバー３で囲まれる扱ぎ室５を有し、該扱ぎ室５の側面には、穀稈の搬送方向に沿って扱ぎ口６が形成されている。前記上部カバー３の前側板３ａと後側板３ｂの間には、複数の扱ぎ歯８ａを備えた扱ぎ胴８が回転可能に支持されている。前記扱ぎ口６に沿って配置されたフィードチェーン７によって挟持搬送される穀稈は、前記扱ぎ歯８ａとの接触により脱穀される。
【００１１】
前記下部ケース２には、その奥側に稈切鎌フレーム１０が固定され、該稈切鎌フレーム１０に稈切刃取付台１１を介して稈切鎌１２が、前記扱ぎ胴８の軸方向に所定の間隔で配置されている。
【００１２】
受網１５は、扱ぎ口側網１５ａと奥側網１５ｂとからなる。該奥側網１５ｂの反扱ぎ室５側には、鉤状部材１６が固定されている。前記下部ケース２には、扱ぎ口側網１５ａの一端を嵌合させる支持部材１７と、扱ぎ口側網１５ａと奥側網１５ｂの突合せ部を載置する受台１８が、それぞれ所定の位置に配置されている。また、奥側網１５ｂの一端をもたせ掛ける受板２０が前記フレーム１０の所定の位置に配置されている。
【００１３】
前記上部カバー３は、前記下部ケース２の反扱ぎ口側に、軸受け２１を介して前記扱ぎ胴８の軸心と略平行に回転自在に支持された軸２２に取付けアーム２３を介して支持されている。そして、前記軸２２を回動支点として、実線で示す下降閉鎖位置と、二点鎖線で示す上昇開動位置との間で回動する。なお、上部カバー３は、実線で示す下降閉鎖位置で、図示しない固定部材により、下部ケース２に連結固定される。
【００１４】
図１、図２に示すように、着脱装置２５は、前記下部ケース２側に配置され、前記鉤状部材１６と着脱自在に係合して、前記受網１５の固定、開放を行う着脱部２６と、前記軸２２側に配置され、前記着脱部２６を操作する操作部３１とからなる。
【００１５】
前記着脱部２６は、前記下部ケース２に固定された軸受２７に回転自在に支持された軸２８と、該軸２８に固定され、前記鉤状部材１６と着脱自在に係合するロック部材３０とからなる。そして、ロック部材３０は、前記軸２８を揺動支点として、前記鉤状部材１６と係合するロック位置と、該鉤状部材１６から離間した開放位置との間で揺動する。なお、ロック部材３０をねじりばねやコイルばね等の弾性部材（図示せず）によってロック位置方向に付勢してもよい。
【００１６】
前記操作部３１は、前記軸２２に前記上部カバー３と一体に固定され、円弧状の長穴３２ａが形成されたプレート３２と、該プレート３２の長穴３２ａを摺動自在に貫通するピン３３と、該ピン３３を介して前記プレート３２と前記ロック部材３０を接続し、前記プレート３２の動きをロック部材３０に伝達する操作ロッド３５とからなる。なお、前記ロック部材３０の弾性付勢に替えて操作ロッド３５を、例えば、ばね等の付勢手段によって矢印Ｂ方向に向けて付勢し、ロック部材３０をロック位置方向に付勢するようにしてもよい。
【００１７】
受網１５の着脱装置２５は、前記のように構成されているので、図１に実線で示す脱穀作業状態から、上部カバー３を２点鎖線で示すメンテナンス作業姿勢に向けて上昇開動させると、まず、上部カバー３が回動して軸２２を回転させ、この軸２２の回転によりプレート３２を回動させる。このとき、プレート３２の長穴３２ａとピン３３が摺動することにより、該長穴３２ａの長さ分だけプレート３２とピン３３は相対移動し、操作ロッド３５は受網１５の固定位置に停止している。即ち、長穴３２ａは、上部カバー３の上昇開動に対し、受網１５の固定力の解除を遅らせる遅延機構を形成している。
【００１８】
このように、上部カバー３が上昇開動しても、受網１５の固定力が変化しない範囲で上部カバー３を停止させ、扱ぎ室５内の切れ稈の除去等、上部カバー３を全開する必要のない作業を行うことができる。即ち、稈詰まり等の除去を行う際に、上部カバー３を上昇開動させても、受網１５に対し固定力を作用させた状態で作業することができるので、受網１５を確実に固定させておくことができる。
【００１９】
上部カバー３がさらに上昇開動して、プレート３２の長穴３２ａの一端がピン３３に当接すると、プレート３２によりピン３３が引き上げられ、ピン３３を介して、操作ロッド３５が矢印Ａ方向に引き上げられる。
【００２０】
この操作ロッド３５の上昇によりロック部材３０が軸２８を中心として揺動して鉤状部材１６から外れ、受網１５の固定が解除される。従って、この状態では、奥側網１５ｂを扱ぎ室５側へ簡単に引き出すことができる。また、扱ぎ口側網１５ａも、その一端を支持部材１７から引き離すことにより簡単に取り出すことができる。
【００２１】
このようにして機外に取り出された受網１５は、清掃または修理あるいは交換されて、下部ケース２に再取付けされる。扱ぎ口側網１５ａの一端を支持部材１７に嵌合させ、他端を受台１８に載置した後、奥側網１５ｂの一端を受台１８に載置し、他端を受台１８にもたせ掛ける。
【００２２】
この状態で、上部カバー３を図１に二点鎖線で示すメンテナンス作業姿勢から実線で示す脱穀作業姿勢まで下降閉鎖する方向に回動させる。上部カバー３の下降により軸２２が回動し、同時にプレート３２を回動させる。このとき、プレート３２の長穴３２ａとピン３３が摺動して、長穴３２ａの長さ分だけ操作ロッド３５は上部カバー３の上昇開動により矢印Ａ方向に移動した位置（操作ロッド３５の上昇端）に静止している。
【００２３】
さらに、上部カバー３が回動して、長穴３２ａの一端（回動方向後側の端部）がピン３３に当接すると、プレート３２の長穴３２ａによりピン３３が押し下げられ、操作ロッド３５が矢印Ｂ方向に移動して、ロック部材３０を奥側網１５ｂの鉤状部材１６に向けて押し下げ、該ロック部材３０を鉤状部材１６に係合させる。なお、前述のように、ロック部材３０や操作ロッド３５が、ロック部材３０のロック位置方向に弾性付勢されていると、ロック部材３０は、前記上部カバー３の回動開始と共にロック位置方向へ移動を開始する。
【００２４】
このとき、ロック部材３０は、軸２８を中心として揺動するため、鉤状部材１６には、ロック部材１６が揺動する円弧に対する接線方向の力Ｆが作用する。即ち、鉤状部材１６には、前記接線方向の力Ｆの鉛直方向の分力としての鉤状部材１６を押し下げる方向の押下力Ｆｅと、前記接線方向の力Ｆの水平方向の分力としての鉤状部材１６を反扱ぎ口側に引っ張る引張力Ｆｓとが作用し、奥側網１５ｂを受台１８と受板２０に確実に押し付け固定することができる。
【００２５】
そして、奥側網１５ｂを鉛直方向に押し下げることにより、該奥側網１５ｂと当接する扱ぎ口側網１５ａを、その接続部で支持部材１７側に押圧して、該扱ぎ口側網１５ａを、支持部材１７と奥側網１５ｂの間で固定することができる。
【００２６】
なお、前記実施の形態では、受網１５が扱ぎ口側網１５ａと奥側網１５ｂで構成された場合について説明したが、受網１５は、１枚の受網で構成されるものであってもよい。受網１５が１枚で構成された場合には、該受網１５を下部ケース２に取付けたとき、奥側となる位置に前記鉤状部材１６を取付ける。
【００２７】
また、前記実施の形態においては、回動支点となる軸２２に、前記上部カバー３と一体に配置されたプレート３２に形成された長穴３２ａを、前記遅延機構としたが、前記操作ロッド３５の下端部（前記ロック部材３０との連結部）に長穴を形成して、遅延機構を構成するようにしてもよい。即ち、遅延機構は、操作ロッド３５の上下（プレート３２との連結部またはロック部材３０との連結部）何れか一方に配置されていればよい。
【００２８】
【発明の効果】
請求項１記載の発明によれば、上部カバーの下降閉鎖時に、操作部材を介してロック部材を受網の奥側に固定された鉤状部材に係合させ、該鉤状部材を介して受網を下方向及び反扱ぎ口方向に付勢して、下部ケースに受網を固定するようにしたので、ロック機構の構成を簡単にして、受網の固定、解除を確実に行うことができる。また、受網のロック装置を受網の下方に設けないので、受網の漏下面積を広くして脱穀能率を向上させることができる。
【００２９】
請求項２記載の発明によれば、遅延機構を設け、上部カバーの上昇に対し受網着脱装置の受網開放のタイミングが遅れるようにしたので、上部カバーの上昇開動操作の所定の開度まで受網の浮き上がりを防止することができ、受網を安定した状態で固定しておくことができる。
【図面の簡単な説明】
【図１】本発明に係わる脱穀機の受網着達装置の一例の要部を示す正面断面図。
【図２】図１のＩＩ矢視図。
【符号の説明】
２…下部ケース
３…上部カバー
１５…受網
１６…鉤状部材
２２…回動支点（軸）
２８…揺動支点（軸）
３０…ロック部材
３２ａ…遅延機構（長穴）
３５…操作部材（操作ロッド）
【図１】
2004141107.tif 000003
【図２】
2004141107.tif 000004